(57)【要約】 【課題】  勾配や曲がりに対応可能で、施工性の良い手摺及び接続具を提供する。【解決手段】  接続具１は一対の回動片１０と連結片２０及び取付片３０とから構成され、回動片１０は取付片３０と軸線に沿った切断面である接触面１５において互いに摺動接触し、１平面である接触面１５において回動可能に連結されている。半円形板３９には、弧状のボルト孔３１が形成され、半円形部にはメネジ３２が設けられており、ボルト孔３１にボルトを挿通し、他方の取付片３０のメネジ３２にねじ込んで、一対の取付片３０、３０を締結するようになっている。ボルト孔３１は弧状であるため、取付片３０、３０を互いに回転方向にずらして固定し、取付片３０、３０をねじれた状態で締結することが可能である。回動片１０には連結軸１９が接続し、ここに円筒の連結片２０を貫挿する。【選択図】  図１
2009127198.tif 000002
【特許請求の範囲】
【請求項１】
支持材と、該支持材に接続する手摺用長尺材と、該支持材と長尺材とを接続する接続具と、を有する手摺において、
該接続具が；
前記支持材に対して軸線を中心に回転方向任意の位置で固定可能な取付片と、
該取付片に１平面において回動可能に連結された回動片と、
該回動片に前記長尺材を該長尺材が軸心を中心に回転可能に連結する連結片と、
を備えたことを特徴とする手摺。
【請求項２】
支持材と、該支持材に接続する２本の手摺用長尺材と、該支持材と各長尺材とを接続する接続具と、を有する手摺において、
前記支持材は前記長尺材を接続具を介して支持する支持片を有し、
前記接続具が；
前記支持片を挟持し、該支持片に対して軸線を中心に回転方向任意の位置で固定可能な一対の取付片と、
該各々の取付片に１平面において回動可能に連結された回動片と、
該各々の回動片に前記長尺材を該長尺材が軸心を中心に回転可能に連結する連結片と、
を備えたことを特徴とする手摺。
【請求項３】
前記一対の取付片は弧状の取付孔を有し、該取付孔における取り付け位置を変更することにより、回転方向任意の位置で固定する、
請求項１又は２の手摺。
【請求項４】
支持材と、該支持材に接続する手摺用長尺材とを有する手摺における前記支持材と長尺材とを接続する接続具であって、
前記支持材に対して軸線を中心に回転方向任意の位置で固定可能な取付片と、
該取付片に１平面において回動可能に連結された回動片と、
該回動片に前記長尺材を該長尺材が軸心を中心に回転可能に連結する連結片と、
を備えたことを特徴とする接続具。
【発明の詳細な説明】
【技術分野】
【０００１】
この発明は、手摺及び接続具に関する。
【背景技術】
【０００２】
近年高齢化と共に手摺の必要性が屋内屋外を問わず高まっている。
手摺は通常パイプなどの長尺材を連結して形成するが、曲がり角や階段などにおいては、上下方向及び水平方向に曲げて敷設する必要がある。そのため上下方向曲がり及び水平方向曲がり用に別々の接続具が必要であり、しかも曲がり角度によっては異なる角度のものを用意しておく必要があった。そのため、コストが高くなり、現場の施工作業も難しいなどの問題があった。
そのため、本願出願人は、どのような傾斜、曲がりの位置にも簡単に施工することができる手摺を開発し、提案済みである。（特許文献１）
【０００３】
【特許文献１】特開２００２−１９４８７２号公報
【発明の開示】
【発明が解決しようとする課題】
【０００４】
しかし、上記提案済みの発明は、傾斜、曲がりの位置に支柱などの支持材が介在する場合には使用できない問題があった。
本発明は、上記した提案済みの発明に更に改良を加え、曲がり位置に支柱などの支持材がある場合に適合する手摺及び接続具を提供することを目的とする。
【課題を解決するための手段】
【０００５】
上記目的を達成するために、本発明は、支持材と、該支持材に接続する手摺用長尺材と、該支持材と長尺材とを接続する接続具と、を有する手摺において、該接続具が、前記支持材に対して軸線を中心に回転方向任意の位置で固定可能な取付片と、該取付片に１平面において回動可能に連結された回動片と、該回動片に前記長尺材を該長尺材が軸心を中心に回転可能に連結する連結片と、を備えたことを特徴とする。
上記構成においては、固定された支持材に対して取付片の取り付け位置を回転方向に任意に設定することができるから、回動片の回動する平面の角度を任意に設定することが可能になる。そのため、支持材を基点として、任意の方向に手摺を延出することが可能になる。
支持材が中間柱であり、手摺が支持材の両方向に設けられる場合には、上記接続具の構成部品を一対の構成にして用いるのが望ましい。
【発明の効果】
【０００６】
本発明の手摺によれば、支柱などの支持材を基点として手摺を任意方向に延出させることが容易にでき、施工効率の向上及びコストの低減を図ることが出来る効果がある。
【発明を実施するための最良の形態】
【０００７】
以下本発明の実施の形態を図面に基づいて説明する。
図１と図２において、支柱６の両側に長尺材である手摺材５が設けられており、該手摺材５と支柱６を接続具１により接続している。
【０００８】
接続具１は一対の回動片１０と連結片２０及び取付片３０とから構成されている。支柱６の片側にのみ手摺材５を設ける場合には、回動片１０、連結片２０及び取付片３０は１つ設ければよい。回動片１０は取付片３０を介して支柱６の支持片６０に接続し、また連結片２０を介して手摺材５を接続するようになっている。
【０００９】
回動片１０、１０は円柱材を軸線で半分に切断して２分割したような形状をなしており、半円柱形状をなしている。そして、その頭部を４分の１の球体状に成形してある。回動片１０は取付片３０と軸線に沿った切断面である接触面１５において互いに摺動接触し、１平面である接触面１５において回動可能に連結されている。
【００１０】
図３に示すように取付片３０も、回動片１０と同様に円柱材を軸線で半分に切断して２分割した半円柱形状をなし、４分の１の球体状の頭部を有している。該頭部の反対側の底部には、半円形状の半円形板３９が一体的に形成されている。
取付片３０にはピボット孔３５が形成され、一方回動片１０にはピボット軸１１が設けられており、該ピボット軸１１をピボット孔３５に嵌挿して、取付片３０と回動片１０とを回動可能に連結するように構成されている。ピボット軸１１にはメネジ１２が設けられており、ここにボルト等の締結具を装着することにより取付片３０と回動片１０を所定角度で固定出来るようになっている。
【００１１】
取付片３０の４分の１の球体状の頭部の反対側の底部は、図４に示すように半円形板３９を含む円形状になっており、この一対の取付片３０の挟持縁３３、３３により支持片６０を挟持するように構成されている。
前記半円形板３９には、弧状のボルト孔３１が形成され、また上部の半円形部にはメネジ３２が設けられており、ボルト孔３１にボルトを挿通し、他方の取付片３０のメネジ３２にねじ込んで、一対の取付片３０、３０を締結するようになっている。ボルト孔３１は弧状であるため、取付片３０、３０を互いに回転方向にずらして固定し、取付片３０、３０をねじれた状態で締結することが可能である。
【００１２】
支持片６０は、図５に示すように支柱６の頂部や、図６に示すように支柱６の側部に設けられ、接続具１を介して手摺材５を支持する。
支持片６０は支持孔６１を備えており、この支持孔６１を前記した取付片３０のメネジ３２に蝶合するボルト等が貫通する。そして支持孔６１の縁部６２が前記挟持縁３３、３３に挟持されるように構成されている。
【００１３】
回動片１０には連結軸１９が接続しており、ここに円筒の連結片２０を貫挿してある。該連結片２０は連結軸１９に対して回転可能に装着され、止め輪等により軸線方向に係止され、抜け止めされている。この連結片２０に手摺材５が貫挿し、ネジ等により固定されるようになっている。
【００１４】
以上の構成において、取付片３０の支持片６０への取り付け角度及び回動片１０の取付片３０に対する角度を適宜設定することにより、手摺材５を支柱６の支持片６０を基点として任意方向に延出するように設置することが可能になる。
【００１５】
図１と図２に示す例では、左右の手摺材５、５を同一の平面、即ち接触面１５上で所定の角度に曲げて支柱６に装着している。この例では手摺材５、５は水平状態を保ち、傾斜していない。
【００１６】
図７に示す例では、左側の取付片３０の取り付け角度を９０度捻って支持片６０に設定してあり、左の接触面１５を垂直面としている。この構成により、左側の手摺材５を垂直方向に傾斜可能とし、所定角度傾斜させて設置してある。
【００１７】
図８に他の設置例を示す。ここでは、左右の取付片３０を９０度曲げて支持片６０に装着し、回動面である接触面１５、１５を垂直面に設定してある。この構成により左右の手摺材５、５を傾斜させて設置可能になっている。
【００１８】
なお、上記例の他に、例えば接触面１５を垂直面ではなく、水平面と垂直面の間の任意角度になるように取付片３０の角度を調整して支持片６０に装着すれば、手摺材５を傾斜させ且つ左右方向にも曲げて延出させることができ、手摺材５の方向を任意に設定可能である。
【００１９】
以上の構成により、連結片２０に連結された手摺材５は接触面１５の方向だけでなくほぼ３６０゜方向に延出するように設置できるから、どのような曲がりにも対応できる。しかも、接続具１と手摺材５との取り付け位置の制限などは全くなく、単に装着した後に適宜の角度に曲げることが可能であり、作業性が極めて高い。更に、接続具１は１種類あれば良く、水平用、垂直用、異なる角度用等のものを用意する必要がない。
【図面の簡単な説明】
【００２０】
【図１】本発明の一実施形態を示す正面図。
【図２】本発明の一実施形態を示す平面図。
【図３】本発明の接続具の一実施形態示す正面図。
【図４】本発明の接続具の一実施形態を示す側面図。
【図５】本発明の接続具の支持片６０の一実施形態示す正面図。
【図６】本発明の接続具の支持片６０の他の実施形態示す正面図。
【図７】本発明の一実施形態の装着状態の説明図。
【図８】本発明の一実施形態の他の装着状態の説明図。
【符号の説明】
【００２１】
１：接続具、５：手摺材、６：支柱、１０：回動片、１１：ピボット軸、１２：メネジ、１５：接触面、１９：連結軸、２０：連結片、３０：取付片、３１：ボルト孔、３２：メネジ、３３：挟持縁、３５：ピボット孔、３９：半円形板、６０：支持片、６１：支持孔、６２：縁部。
【図１】
2009127198.tif 000003
【図２】
2009127198.tif 000004
【図３】
2009127198.tif 000005
【図４】
2009127198.tif 000006
【図５】
2009127198.tif 000007
【図６】
2009127198.tif 000008
【図７】
2009127198.tif 000009
【図８】
2009127198.tif 000010